(57)【要約】【課題】第一の洗濯槽と第二の洗濯槽を有し、両洗濯槽の使い易さ、単独性能、洗濯機本体サイズのコンパクト性を向上する衣類処理装置を提供すること。【解決手段】第一の洗濯槽１１２と第二の洗濯槽１５２を有し、第一の洗濯槽１１２と第二の洗濯槽１５２を上下に配置して、第一の洗濯槽１１２は第二の洗濯槽１５２より洗濯容量を小さくし、その中心を本体筐体１１０の略中央より左または右に配置したことにより、使い易さ、洗濯性能に優れ、コンパクトな無駄のない衣類処理装置を提供することが出来る。【選択図】図２
2017121398.tif 000002
【特許請求の範囲】
【請求項１】
第一の洗濯槽と第二の洗濯槽を有し、前記第一の洗濯槽と前記第二の洗濯槽を上下に配置して、前記第一の洗濯槽は前記第二の洗濯槽より洗濯容量を小さくし、その中心を製品の略中央より左または右に配置した衣類処理装置。
【請求項２】
前記第二の洗濯槽より洗濯容量の小さい前記第一の洗濯槽を、前記第二の洗濯槽より上方に配置した請求項１記載の衣類処理装置。
【請求項３】
前記第一の洗濯槽を運転するための第一の操作パネルと前記第二の洗濯槽を運転するための第二の操作パネルを、共に前面の前記第一の洗濯槽の側方に配設した請求項１または２記載の衣類処理装置。
【請求項４】
前記第一の洗濯槽と前記第二の洗濯槽で、各々異なる洗濯コースもしくは動作シーケンスで双方同時に運転（洗い、すすぎ、脱水）することを可能とした請求項１〜３のいずれか１項記載の衣類処理装置。
【請求項５】
前記第二の洗濯槽に乾燥手段を設けた請求項１〜４のいずれか１項記載の衣類処理装置。
【発明の詳細な説明】
【技術分野】
【０００１】
本発明は、衣類を洗濯、脱水及び／又は乾燥するための衣類処理装置に関する。
【背景技術】
【０００２】
第一の洗濯槽と第二の洗濯槽を配備している衣類処理装置が開発されている（例えば、特許文献１参照）。特許文献１には、第一の洗濯槽と第二の洗濯槽を配備しているドラム式洗濯機の一例が記載されている。
【先行技術文献】
【特許文献】
【０００３】
【特許文献１】中国特許出願公開第１０３８５００８５号明細書
【発明の概要】
【発明が解決しようとする課題】
【０００４】
昨今では多種多様な繊維素材を用いた衣類や色彩鮮やかな模様の施された衣類などが市場に多く提供されているが、それら衣類などを洗濯する場合には、デリケート(華奢)な繊維素材や色彩毎にそれぞれ分別し、複数回に分けて洗濯を行うために、洗濯に長時間を要するという課題があった。この課題を解決するため、第一の洗濯槽と第二の洗濯槽を備えた衣類処理装置が提供されることが求められてきたが、さらに、第一と第二の各洗濯槽のユーザビリティ(使い易さ)、単独性能の向上、洗濯機本体のコンパクト性が求められている。
【０００５】
本発明は、第一の洗濯槽と第二の洗濯槽を配備した、コンパクトでユーザビリティの優れた衣類処理装置を提供することを目的とする。
【課題を解決するための手段】
【０００６】
前記従来の課題を解決するために本発明の衣類処理装置は、第一の洗濯槽と第二の洗濯槽を有し、前記第一の洗濯槽と前記第二の洗濯槽を上下に配置して、前記第一の洗濯槽は前記第二の洗濯槽より洗濯容量を小さくし、その中心を製品の略中央より左または右に配置したものである。これにより、両方の洗濯槽で、別々に、洗浄から脱水までの行程が可能となり、洗濯のユーザビリティおよびそれぞれの洗濯性能を向上させることができるとともに、洗濯機本体サイズもコンパクトになり、占有場所を小さくできる。
【０００７】
また、前記第一の洗濯槽と前記第二の洗濯槽の洗濯容量に（第二の洗濯槽側をより大きくして）差を設けているので、洗濯容量に合せて、節水性と省エネルギー性の効率的な洗濯が可能になる。
【０００８】
また、前記第一の洗濯槽と前記第二の洗濯槽とで大きさを異ならせ、かつ中心位置を左右方向でずらせたことにより、同時に運転した場合に、両洗濯槽間の共振を避け、衣類処理装置の移動や騒音の発生を抑制することができる。
【発明の効果】
【０００９】
本発明に係る衣類処理装置は、第一の洗濯槽と第二の洗濯槽を有しながら、ユーザビリティ(使い易さ)、単独性能、洗濯機本体サイズのコンパクト性を向上することができる。
【図面の簡単な説明】
【００１０】
【図１】本発明の実施の形態１における衣類処理装置の斜視図
【図２】同衣類処理装置の正面図
【図３】同衣類処理装置の図２に示されるＸ−Ｘ矢視側断面図
【発明を実施するための形態】
【００１１】
第１の発明は、第一の洗濯槽と第二の洗濯槽を有し、前記第一の洗濯槽と前記第二の洗濯槽を上下に配置して、前記第一の洗濯槽は前記第二の洗濯槽より洗濯容量を小さくし、その中心を製品の略中央より左または右に配置したことにより、両方の洗濯槽で、別々に、洗浄から脱水までの行程が可能となり、洗濯のユーザビリティおよびそれぞれの洗濯性能を向上させることができるとともに、洗濯機本体サイズのコンパクト性をより向上させることができる。また、両洗濯槽の洗濯容量に差を設けているので、洗濯容量に合せて、節水性と省エネルギー性の効率的な洗濯が可能になる。さらに、前記第一の洗濯槽と前記第二の洗濯槽とで大きさを異ならせ、かつ中心位置を左右方向でずらせたことにより、同時に運転した場合に、両洗濯槽間の共振を避け、衣類処理装置の移動や騒音の発生を抑制することができる。
【００１２】
第２の発明は、上記第１の発明において、前記第二の洗濯槽より洗濯容量の小さい前記第一の洗濯槽を、前記第二の洗濯槽より上方に配置したことにより、衣類処理装置の設置および運転時の安定性がよい。
【００１３】
第３の発明は、上記第１または第２の発明において、前記第一の洗濯槽を運転するための第一の操作パネルと前記第二の洗濯槽を運転するための第二の操作パネルを、共に前面の前記第一の洗濯槽の側方に配設したことにより、第一の洗濯槽を運転するための第一の操作パネルと第二の洗濯槽を運転するための第二の操作パネルを、使用者の操作しやすい衣類処理装置の上部前面の１箇所に隣接させて配置させることができ、操作性を向上させることができる。また、第一の洗濯槽と第二の洗濯槽とで、操作パネルをそれぞれ独立させて専用に設けたので、いずれの洗濯槽を運転（洗い、すすぎ、脱水）する場合でも、運転したい側の操作パネルに間違いなく入力でき、誤操作を防止でき、非常に使い勝手がよい。
【００１４】
第４の発明は、上記第１〜第３のいずれかの発明において、前記第一の洗濯槽と前記第二の洗濯槽で、各々異なる洗濯コースもしくは動作シーケンスで双方同時に運転（洗い、すすぎ、脱水）することを可能としたことにより、繊維素材や色彩毎に分別した洗濯物をそれぞれに適した洗濯コースや洗濯条件で同時に運転でき、且つ、共振を防止できることから、衣類の素材や種類・容量に合せて、洗い、すすぎ、脱水の性能を向上することができる。また、節水や省エネルギー性を向上させることができる。また、第一の洗濯槽と第二の洗濯槽とで、操作パネルをそれぞれ独立させて専用に設けたので、各々異なる洗濯コースもしくは動作シーケンスで双方同時に運転（洗い、すすぎ、脱水）する際に、非常に使い勝手がよい。
【００１５】
第５の発明は、上記第１〜第４のいずれかの発明において、前記第二の洗濯槽に乾燥手段を設けたことにより、第一の洗濯槽の洗濯物も含めて洗濯物の全量を第二の洗濯槽で一度で無駄なく乾燥させることができ、使用性を向上させることができるとともに、省エネルギー性も向上させることができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における衣類処理装置の斜視図、図２は同衣類処理装置の正面図、図３は同衣類処理装置の図２に示されるＸ−Ｘ矢視側断面図を示すものである
。
【００１８】
図１〜図３に示すように、衣類処理装置１００の本体筐体１１０の上部には略水平方向の回転軸１１５を中心に回転自在な前方に開口部を有する有底円筒状の第一の回転ドラム１１１が内部に配設された揺動自在な第一の洗濯槽１１２が配備され、第一の回転ドラム１１１は第一の洗濯槽１１２の背面に外側より取り付けられた第一のモータ１１３により回転駆動される。第一の洗濯槽１１２も有底円筒状に形成され、その正面側の開口部１１６を閉鎖する開閉可能な扉体１１４が上部前面パネル１１７に配備される。この扉体１１４を開くことにより第一の回転ドラム１１１内に洗濯物を出し入れできるようにしている。第一の洗濯槽１１２は本体筐体１１０よりばね体とダンパー（いずれも図示せず）により揺動可能に吊り下げて防振支持されている。
【００１９】
本体筐体１１０の下部には略水平方向の回転軸１５５を中心に回転自在な前方に開口部を有する有底円筒状の第二の回転ドラム１５１が内部に配設された揺動自在な第二の洗濯槽１５２が配備され、第二の回転ドラム１５１は第二の洗濯槽１５２の背面に外側より取り付けられた第二のモータ１５３により回転駆動される。第二の洗濯槽１５２も有底円筒状に形成され、その正面側の開口部１５６を閉鎖する開閉可能な扉体１５４が下部前面パネル１５７に配備される。この扉体１５４を開くことにより第二の回転ドラム１５１内に洗濯物を出し入れできるようにしている。第二の洗濯槽１５２も本体筐体１１０よりばね体１５８とダンパー１５９により揺動可能に吊り下げて防振支持されている。
【００２０】
第二の洗濯槽１５２の上方に配設した第一の洗濯槽１１２は、内部の容積（洗濯容量）を第二の洗濯槽１５２の内部の容積（洗濯容量）より小さくし、有底円筒状の中心１１２ｃを本体筐体１１０の左右方向中心より左右いずれか（本実施の形態では正面から見て右側）にずらせてある。洗濯容量の大きい方の第二の洗濯槽１５２の有底円筒状の中心１５２ｃは、本体筐体１１０の左右方向中心とほぼ一致させてある。
【００２１】
第一の洗濯槽１１２、第二の洗濯槽１５２には、それぞれ洗濯槽内部に水道水を給水する給水手段２１、洗濯槽内の洗濯水を機外に排水する排水手段２０、および洗濯槽内の水位を検知する水位検知手段（図示せず）が連通させて設けてあるが、一般的な洗濯機と同様の構成のものであるので、説明は省略する。
【００２２】
内部の容積（洗濯容量）の大きい第二の洗濯槽１５２の底部には乾燥系（乾燥手段）を構成するヒータ２２が備えられている。乾燥系の構成としては、ヒータ２２のみでもよいが、送風機と送風経路を備えてヒータ２２で加熱した温風を第二の洗濯槽１５２内に送り込み循環させる構成にすれば乾燥効率がよい。
【００２３】
なお、本実施の形態では、第一の回転ドラム１１１および第二の回転ドラム１５１の回転軸心方向を略水平方向に配設しているが、回転軸心方向を正面側から背面側に向けて下向きに傾斜させて配設してもよい。
【００２４】
本実施の形態の衣類処理装置は、洗い行程、すすぎ行程、脱水行程、乾燥行程を逐次制御する制御手段３０を備え、上記各行程を行う機能を有したドラム式洗濯乾燥機を構成している。しかし、乾燥行程を行うための乾燥系は省略することができる。
【００２５】
衣類処理装置１００の上部前面に配備された上部前面パネル１１７には、第一の洗濯槽１１２を運転するための第一の操作パネル１２０が配置され、この第一の操作パネル１２０には、運転コースや運転条件等の第一の洗濯槽１１２を運転操作するための設定入力を行う第一の操作ボタン１２２と、第一の洗濯槽１１２の運転状態や操作の確認を行うための第一の表示デバイス１２３とが備えられている。
【００２６】
衣類処理装置１００の上部前面に配備された上部前面パネル１１７の第一の操作パネル１２０のすぐ下方には、第二の洗濯槽１５２を運転するための第二の操作パネル１６０が配置され、この第二の操作パネル１６０には、運転コースや運転条件等の第二の洗濯槽１５２を運転操作するための設定入力を行う第二の操作ボタン１６２と、第二の洗濯槽１５２の運転状態や操作の確認を行うための第二の表示デバイス１６３とが備えられている。
【００２７】
上記の互いに隣接させて上下に配設された第一の操作パネル１２０と第二の操作パネル１６０は、共に第一の洗濯槽１１２の側方で、第一の洗濯槽１１２を本体筐体１１０の左右方向中心より左右いずれか（本実施の形態では正面から見て右側）にずらせて配設したことにより上部前面パネル１１７上の左右いずれかに生じる残余スペース（本実施の形態では正面から見て左側）に配置されている。
【００２８】
制御手段３０は、第一の操作ボタン１２２および第二の操作ボタン１６２からの設定入力情報をもとに、第一のモータ１１３、第二のモータ１５３、給水手段２１、排水手段２０などの動作を制御し、洗い、すすぎ、脱水、乾燥等の運転を行う。また、制御手段３０は、使用者によって第一の操作ボタン１２２および第二の操作ボタン１６２を操作して選択・入力された運転コースや運転条件等の設定入力情報や運転進行状況等の各種表示情報の第一の表示デバイス１２３および第二の表示デバイス１６３への出力も行っている。
【００２９】
以上のように構成された衣類処理装置について、以下その動作、作用を説明する。
【００３０】
第一の洗濯槽１１２と第二の洗濯槽１５２の各扉体１１４、１５４を開け、前方に設けた開口部１１６、１５６（洗濯物投入口）から繊維素材や色彩毎にそれぞれ分別した衣類等の洗濯物を各々第一の回転ドラム１１１、第二の回転ドラム１５１に投入し、扉体１１４、１５４を閉めた後、第一の洗濯槽１１２と第二の洗濯槽１５２のそれぞれの入力設定操作部である第一の操作ボタン１２２および第二の操作ボタン１６２により各洗濯槽の行程内容を設定し、各々運転を開始する。
【００３１】
制御手段３０は、各回転ドラム１１１、１５１内の洗濯物の量に応じて最適な水位を設定し、給水手段２１を制御して、各回転ドラム１１１、１５１内および各洗濯槽１１２、１５２内に給水を行う。そして、水位検知手段によって水位を検知し、設定された水位に達したら、給水を終了し、各々のモータ１１３、１５３を制御し、回転ドラム１１１、１５１を回転させ、各洗濯槽１１２、１５２で設定された洗い行程を行う。
【００３２】
各洗い行程終了後、排水手段２０を制御して各洗濯槽１１２、１５２から洗濯水を排水し、脱水した後、再び給水手段２１を制御して、各回転ドラム１１１、１５１内および各洗濯槽１１２、１５２内に給水を行う。そして、水位検知手段によって水位を検知し、設定された水位に達したら、給水を終了し、各モータ１１３、１５３を制御し、回転ドラム１１１、１５１を回転させ、各洗濯槽１１２、１５２で設定されたすすぎ行程を行う。すすぎ行程終了後、排水手段２０を制御して各洗濯槽１１２、１５２からすすぎ後の水を排水し、各回転ドラム１１１、１５１を高速回転させて洗濯物の最終脱水を行う。
【００３３】
最後に、各回転ドラム１１１、１５１を低速で回転させながら乾燥系から暖気を送り込んで乾燥行程を行った後、運転を終了する。
【００３４】
制御手段３０は、二つの洗濯槽１１２、１５２を各々別のコースで双方同時に運転（洗い、すすぎ、脱水、乾燥）することを可能にし、繊維素材や色彩毎に分別した洗濯物をそれぞれに適した洗濯コースや洗濯条件で同時に運転することができ、時間の有効活用ができるよう構成してある。また、二つの洗濯槽１１２、１５２をそれぞれに適した洗濯コー
スや洗濯条件で同時に運転することにより、それぞれの同時刻における動作が異なる可能性が高く（例えば、第一の洗濯槽１１２が第一の回転ドラム１１１の高速回転による脱水行程を行っている時に、第二の洗濯槽１５２ではすすぎ行程を行っている）、二つの洗濯槽１１２、１５２による共振を防止することができる。
【００３５】
なお、第一の洗濯槽１１２と第二の洗濯槽１５２は、いずれか一方のみを運転することももちろん可能である。
【００３６】
以上のように、本発明の実施の形態１における衣類処理装置は、両方の洗濯槽で別々に洗浄から乾燥までの行程を可能としつつ、第一の洗濯槽１１２と第二の洗濯槽１５２を上下に配置したことにより、所謂従来の２槽式洗濯機に比べて、洗濯機本体サイズもコンパクトになり、占有場所を小さくできるとともに、第一の洗濯槽１１２と第二の洗濯槽１５２の洗濯容量に差を設けているので、洗濯容量に合せて、節水性と省エネルギー性に優れた効率的な洗濯が可能になる。
【００３７】
また、本発明の実施の形態１における衣類処理装置は、二つの洗濯槽１１２、１５２を双方同時に運転する場合に、実用上大なる効果を発揮する。すなわち、第一の洗濯槽１１２と第二の洗濯槽１５２を上下に配置して、第一の洗濯槽１１２と第二の洗濯槽１５２で洗濯容量に差を設け、第一の洗濯槽１１２は第二の洗濯槽１５２より洗濯容量を小さくし、その中心１１２ｃを本体筐体１１０（製品）の略中央より左または右にずらせて配置したことにより、繊維素材や色彩毎に分別した洗濯物をそれぞれに適した洗濯槽を選んで投入し、それぞれに適した洗濯コースや洗濯条件で同時に運転することができ、時間の有効活用ができるとともに、同時に運転した場合、各洗濯槽１１２、１５２に投入された洗濯物のアンバランスや脱水時の高速回転に起因する振動の大きさおよび振動の発生中心を異ならせることができ、両洗濯槽間の共振を避け、衣類処理装置１００の移動や騒音の発生を抑制することができる。
【００３８】
また、第一の洗濯槽１１２と第二の洗濯槽１５２のうち、洗濯容量が大きい方の第二の洗濯槽１５２を衣類処理装置１００の下方に、洗濯容量の小さい方の第一の洗濯槽１１２を上方に配置しているので、衣類処理装置１００の設置および運転時の安定がよい。
【００３９】
また、第一の洗濯槽１１２と第二の洗濯槽１５２のうち、洗濯容量の小さい方の第一の洗濯槽１１２を上方に配置し、その中心１１２ｃを本体筐体１１０（製品）の略中央より左または右にずらせて配置することにより、第一の洗濯槽１１２を運転するための第一の操作パネル１２０と第二の洗濯槽１５２を運転するための第二の操作パネル１６０を、使用者の操作しやすい衣類処理装置１００の上部の１箇所に隣接させて配置させることができ、操作性を向上させることができる。特に、繊維素材や色彩毎にそれぞれ衣類を分別し両洗濯槽を同時に運転する際に、第一の洗濯槽１１２の運転操作と第二の洗濯槽１５２の運転操作を、より近い範囲で運転操作することができることから、この操作性の向上効果はより大なるものがある。
【００４０】
また、第一の洗濯槽１１２と第二の洗濯槽１５２で、各々異なる洗濯コースもしくは動作シーケンスで双方同時に運転（洗い、すすぎ、脱水）することを可能としたので、第一の洗濯槽の運転操作と、第二の洗濯槽の運転操作を、繊維素材や色彩毎に分別した洗濯物をそれぞれに適した洗濯コースや洗濯条件で同時に運転でき、且つ、共振を防止できることから、衣類の素材や種類・容量に合せて、洗浄・脱水の性能を向上することができる。また、節水や省エネルギー性を向上させることができる。
【００４１】
また、第一の洗濯槽１１２と第二の洗濯槽１５２とで、洗濯コースや洗濯条件を設定入力する各操作パネル１２０、１６０を、隣接させてはあるが、それぞれ独立させて専用に
設けたので、各々異なる洗濯コースもしくは動作シーケンスで双方同時に運転（洗い、すすぎ、脱水）する際に、非常に使い勝手がよい。
【００４２】
さらに、内部の容積（洗濯容量）の大きい第二の洗濯槽１５２にヒータ２２等の乾燥手段を設けたので、第一の洗濯槽１１２側の洗濯物も含めて洗濯物の全量を第二の洗濯槽１５２で一度で無駄なく乾燥させることができ、使用性を向上させることができるとともに、省エネルギー性も向上させることができる。
【産業上の利用可能性】
【００４３】
以上のように、本発明にかかる衣類処理装置は、第一の洗濯槽と第二の洗濯槽を備え、繊維素材や色彩毎に分別した洗濯物をそれぞれに適した洗濯槽を選んで投入し、それぞれに適した洗濯コースや洗濯条件で同時に運転することができ、時間の有効活用ができるとともに、節水性と省エネルギー性および操作性に優れた衣類処理装置を提供することが可能になるので、第一の洗濯槽と第二の洗濯槽を備えた衣類処理装置等として有用である。
【符号の説明】
【００４４】
２０  排水手段
２１  給水手段
２２  ヒータ(乾燥手段)
３０  制御手段
１００  衣類処理装置
１１０  本体筐体
１１１  第一の回転ドラム
１１２  第一の洗濯槽
１１３  第一のモータ
１１４  扉体
１１５  回転軸
１１６  開口部
１１７  上部前面パネル
１２０  第一の操作パネル
１２２  第一の操作ボタン
１２３  第一の表示デバイス
１５１  第二の回転ドラム
１５２  第二の洗濯槽
１５３  第二のモータ
１５４  扉体
１５５  回転軸
１５６  開口部
１５７  下部前面パネル
１６０  第二の操作パネル
１６２  第二の操作ボタン
１６３  第二の表示デバイス
【図１】
2017121398.tif 000003
【図２】
2017121398.tif 000004
【図３】
2017121398.tif 000005